(57)【要約】【課題】  遊技性を向上させた弾球遊技機の入賞装置を提供する。【解決手段】  本発明では、遊技盤に設けられた所定の遊技領域に取り付けられて、遊技領域を転がり落ちる遊技球が入球可能に構成された弾球遊技機の入賞装置３０において、遊技領域を転がり落ちる遊技球が入球可能な入賞口３１を有するベース部材３２と、ベース部材３２に対し入賞口３１を開閉可能に取り付けられた左右一対の羽根部材３３，３６とを備え、左右の羽根部材３３，３６が入賞口３１を閉鎖するとき羽根部材３３，３６の上方に達した遊技球を遊技領域における入賞装置３０の右方もしくは左方のいずれかに導いて落下させるガイド部３９が左右の羽根部材３３，３６に設けられている。【選択図】  図３
2006263156.tif 000002
【特許請求の範囲】
【請求項１】
遊技盤に設けられた所定の遊技領域に取り付けられて、前記遊技領域を転がり落ちる遊技球が入球可能に構成された弾球遊技機の入賞装置において、
前記遊技領域を転がり落ちる遊技球が入球可能な入賞口を有するベース部材と、
前記ベース部材に対し前記入賞口を開閉可能に取り付けられた開閉部材とを備え、
前記開閉部材が前記入賞口を閉鎖するとき前記開閉部材の上方に達した遊技球を前記遊技領域における前記入賞装置の右方もしくは左方のいずれかに導いて落下させるガイド部が前記開閉部材に設けられていることを特徴とする弾球遊技機の入賞装置。
【請求項２】
前記開閉部材は、前記ベース部材に対し前記遊技領域を構成する面内で回転自在に取り付けられた左右一対の羽根部材からなり、前記左右一対の羽根部材が回転に応じて前記入賞口を開閉可能に構成されており、
左側の前記羽根部材に、前記左側の前記羽根部材が前記入賞口を閉鎖する位置に回転変位したとき上方に面して左下方へ傾斜するように延びる左ガイド面が形成されるとともに、
右側の前記羽根部材に、前記右側の前記羽根部材が前記入賞口を閉鎖する位置に回転変位したとき上方に面して右下方へ傾斜するように延びる右ガイド面が形成され、
前記左右一対の羽根部材が前記入賞口を閉鎖するときに前記左ガイド面の上端と前記右ガイド面の上端とが近接して山形状の前記ガイド部が形成されるように構成されることを特徴とする請求項１に記載の弾球遊技機の入賞装置。
【請求項３】
前記左右一対の羽根部材がそれぞれ、前記入賞口を閉鎖して前記ガイド部が形成される閉鎖位置と、
前記入賞口を開放するとともに前記左ガイド面と前記右ガイド面とが互いに対向して前記入賞口に近い方から上方へ互いに略平行に延びる通常開放位置と、
前記入賞口を開放するとともに前記左ガイド面と前記右ガイド面とが互いに対向して前記入賞口に近い方から上方へ向かうにつれて互いに離れるように傾斜して延びる拡大開放位置とに回転変位可能に構成されることを特徴とする請求項２に記載の弾球遊技機の入賞装置。
【発明の詳細な説明】
【技術分野】
【０００１】
本発明は、パチンコ機に代表される弾球遊技機の入賞装置に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けられた入賞装置に入賞させる遊技を行うように構成されている。
【０００３】
入賞装置には、遊技領域に沿って落下移動する遊技球を受け入れるため上方に開口する固定ガイドを有した固定型入賞装置や、上方に拡開自在となった左右一対の羽根部材を有してなる開閉型入賞装置等がある。開閉型入賞装置は、一般にチューリップ型入賞装置と称されて従来から良く知られており、遊技球が入球可能なベース部材と、ベース部材に対し上方に向かって拡開自在に取り付けられた左右一対の羽根部材（可動翼部材とも称される）と、ソレノイド等から構成される拡開駆動装置とを備え、拡開駆動装置の作動によって羽根部材の拡開作動がなされるように構成されている（例えば特許文献１を参照）。
【特許文献１】特開２００２−６５９９１号公報
【発明の開示】
【発明が解決しようとする課題】
【０００４】
しかしながら、従来の開閉型入賞装置においては、羽根部材が遊技球の入賞を容易にするか否かの機能しか有していなかったため、動きが単調で、興趣性を欠く部分があった。
【０００５】
本発明は、このような問題に鑑みて成されたものであり、遊技性を向上させた弾球遊技機の入賞装置を提供することを目的とする。
【課題を解決するための手段】
【０００６】
このような目的達成のため、本発明では、遊技盤に設けられた所定の遊技領域に取り付けられて、遊技領域を転がり落ちる遊技球が入球可能に構成された弾球遊技機（例えば、実施形態におけるパチンコ機ＰＭ）の入賞装置（例えば、実施形態における開閉型入賞装置３０）において、遊技領域を転がり落ちる遊技球が入球可能な入賞口を有するベース部材と、ベース部材に対し入賞口を開閉可能に取り付けられた開閉部材（例えば、実施形態における左羽根部材３３および右羽根部材３６）とを備え、開閉部材が入賞口を閉鎖するとき開閉部材の上方に達した遊技球を遊技領域における入賞装置の右方もしくは左方のいずれかに導いて落下させるガイド部が開閉部材に設けられている。
【０００７】
また、上述の発明において、開閉部材は、ベース部材に対し遊技領域を構成する面内で回転自在に取り付けられた左右一対の羽根部材からなり、左右一対の羽根部材が回転に応じて入賞口を開閉可能に構成されており、左側の羽根部材に、左側の羽根部材が入賞口を閉鎖する位置に回転変位したとき上方に面して左下方へ傾斜するように延びる左ガイド面が形成されるとともに、右側の前記羽根部材に、右側の前記羽根部材が入賞口を閉鎖する位置に回転変位したとき上方に面して右下方へ傾斜するように延びる右ガイド面が形成され、左右一対の羽根部材が入賞口を閉鎖するときに左ガイド面の上端と右ガイド面の上端とが近接して山形状のガイド部が形成されるように構成されることが好ましい。
【０００８】
さらに、上述の発明において、左右一対の羽根部材がそれぞれ、入賞口を閉鎖してガイド部が形成される閉鎖位置と、入賞口を開放するとともに左ガイド面と右ガイド面とが互いに対向して入賞口に近い方から上方へ互いに略平行に延びる通常開放位置と、入賞口を開放するとともに左ガイド面と右ガイド面とが互いに対向して入賞口に近い方から上方へ向かうにつれて互いに離れるように傾斜して延びる拡大開放位置とに回転変位可能に構成されることが好ましい。
【発明の効果】
【０００９】
本発明によれば、開閉部材が入賞口を閉鎖するとき、開閉部材の上方に達した遊技球がガイド部によって入賞装置の右方もしくは左方のいずれかに導かれて落下するため、遊技球を左右に振り分けて落下させる機能を入賞装置に持たせることができ、この機能を上手く用いることで、弾球遊技機の遊技性を向上させることが可能になる。
【００１０】
また、開閉部材が回転自在な左右一対の羽根部材からなり、この左右一対の羽根部材が入賞口を閉鎖するときに左ガイド面の上端と右ガイド面の上端とが近接して山形状のガイド部が形成されるように構成されることで、羽根部材を回転させるだけでガイド部を形成することが可能となり、遊技球を左右に振り分けて落下させる機能を有する入賞装置を小さくすることができる。
【００１１】
さらに、左右一対の羽根部材がそれぞれ、閉鎖位置と、通常開放位置と、拡大開放位置とに回転変位可能に構成されることで、遊技球が入賞口に入球する際の難易度を変化させることができるため、弾球遊技機の遊技性をさらに向上させることが可能になる。
【発明を実施するための最良の形態】
【００１２】
以下、本発明の好ましい実施形態について図面を参照しながら説明する。本発明に係る入賞装置を備えた弾球遊技機の代表例としてパチンコ機ＰＭを図１に示しており、まず、図１および図２を参照しながらパチンコ機ＰＭの全体構成について要約説明する。ここで、図１はパチンコ機ＰＭの正面図、図２はパチンコ機ＰＭに構成される遊技盤１０の正面図である。
【００１３】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１４】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４および球皿施錠装置（図示せず）を利用して前枠２の前面を覆う閉鎖状態に保持される。球皿６の右側下部には遊技球の発射操作を行う操作ハンドル８が取り付けられている。前枠２の上部には遊技盤１０を着脱可能に収容する収容枠（図示せず）が前枠２と一体に成型されており、この収容枠に立設姿勢で係止保持された遊技盤１０がガラス扉５を通して視認されるようになっている。
【００１５】
遊技盤１０は、図２に示すように、所定板厚の積層合板を切断およびルーター加工して、表面にセルを貼り付けた化粧板１１を基板として構成される。化粧板１１の前面には、レール飾り１２がビス止めされてその内側に略円形の遊技領域ＰＡが区画形成され、この遊技領域ＰＡに多数本の遊技釘とともに風車１４や各種入賞装置、遊技の進行状況に応じて所定の図柄を表示させる図柄表示装置１５などの遊技構成部品が取り付けられている。
【００１６】
遊技領域ＰＡの入口部には遊技領域ＰＡに発射された遊技球が再び遊技球発射装置（図示せず）側に戻ることを防止する球戻り規制片１６が取り付けられ、遊技領域ＰＡの下端部には各種入賞装置に入球せずに落下した遊技球を遊技盤１０の裏面側に排出させるアウト口１７が設けられている。また、化粧板１１の裏面側には、いずれも図示省略するが、各種入賞装置に入球した遊技球（「セーフ球」という）を検出する入賞球検出器や、セーフ球を集合させ化粧板１１の裏面に沿って落下させる球寄せカバー、図柄表示装置１５の作動制御を行う画像制御基板などが取り付けられている。
【００１７】
遊技盤１０の下側に位置する前枠２の下部領域には遊技補助盤（図示せず）と称される補助機構部が形成されており、この遊技補助盤の各部に、それぞれ図示省略するが、遊技盤１０に向けて遊技球を打ち出す遊技球発射装置や、遊技の展開状態に応じて効果音を発生させるスピーカなどが設けられている。
【００１８】
前枠２の裏面側には、前枠２よりもやや小型の方形枠状に形成された裏セット盤（図示せず）が着脱可能に取り付けられており、裏セット盤の各部には、いずれも図示省略するが、遊技球を貯留する球貯留タンクや、入賞状態等に基づいて遊技球を払い出す球払出装置、球払出装置から払い出された遊技球を球皿６に導く球払出通路などの賞球装置が装備されている。また、裏セット盤の裏面側には、いずれも図示省略するが、電源基盤や主基板などの各種回路基盤および電子部品等が取り付けられ、これらの各機器および遊技盤１０の裏面に取り付けられた画像制御基板がワイヤーハーネスで接続されてパチンコ機ＰＭが遊技可能に構成される。
【００１９】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が図示しない球送りカセットにより１球ずつ遊技球発射装置（図示せず）に送り出され、遊技球発射装置のハンマにより遊技盤１０の遊技領域ＰＡに打ち出されて、以降パチンコゲームが展開される。
【００２０】
以上のように概略構成されるパチンコ機ＰＭにあって、図２に示すように、遊技領域ＰＡには、一般入賞装置１８や、始動入賞装置２０および大入賞装置２５、本発明に係る開閉型入賞装置３０といった各種入賞装置が配設されている。そこで、本発明に係る開閉型入賞装置３０について図３を追加参照しながら説明する。ここで、図３は開閉型入賞装置３０の正面図である。
【００２１】
なお、開閉型入賞装置３０は、図２に示すように、遊技領域ＰＡの上部に取り付けられた図柄表示装置１５の下方に複数配設されており、上段に４個、中段に３個、下段に２個の合計９個からなる開閉型入賞装置３０が逆台形状の形態をなすように配列されている。また、これらの開閉型入賞装置３０の下方には、遊技球が入球可能な始動入賞装置２０が１個配設されており、この始動入賞装置２０は、上記９個の開閉型入賞装置３０とともに全体として逆三角形状の形態をなすように配列されている。さらに、始動入賞装置２０の下方にはアタッカーとも称される大入賞装置２５が配設されており、この大入賞装置２５には、特別遊技である大当たり遊技の際に開閉扉２６によって開放される大入賞口２７が設けられている。また、始動入賞装置２０の左右側方には、遊技球が入球可能な一般入賞装置１８が左右に１個ずつ配設されている。
【００２２】
さて、本発明に係る開閉型入賞装置３０は、図３に示すように、遊技球が入球可能な入賞口３１を有するベース部材３２と、ベース部材３２の左右に回転自在に取り付けられた左右一対の左羽根部材３３および右羽根部材３６とを備えて構成される。ベース部材３２は、上部に入賞口３１が開口された箱状に形成され、遊技領域ＰＡを転がり落ちる遊技球が入賞口３１を通過してベース部材３２の内部に入球することができるようになっている。なお、ベース部材３２の内部に入球した遊技球は、化粧板１１の裏面側（球寄せカバー）に導かれるようになっている。
【００２３】
左羽根部材３３は、正面視半円形状のブロック形に形成され、ベース部材３２の左上部に化粧板１１の前面、すなわち遊技領域ＰＡを構成する面内で回転自在に取り付けられる。左羽根部材３３の側部には、平面状の左ガイド面３４が形成されている。右羽根部材３６は、左羽根部材３３と同様に正面視半円形状のブロック形に形成され、ベース部材３２の右上部に化粧板１１の前面（遊技領域ＰＡを構成する面）内で回転自在に取り付けられる。右羽根部材３６の側部には、平面状の右ガイド面３７が形成されている。
【００２４】
なお、左羽根部材３３および右羽根部材３６は、図示しない回動軸にそれぞれ回転可能に支持されており、図示省略するが、この回動軸はギヤ機構やリンク機構などを介して化粧盤２１の裏面側に取り付けられたサーボモータの駆動軸と接続されている。そして、このサーボモータの回転駆動力により、左羽根部材３３および右羽根部材３６がそれぞれ回転するようになっている。なお、サーボモータに限らず、パルスモータ等を用いるようにしてもよく、またソレノイドを用いて左羽根部材３３および右羽根部材３６を回転させるようにしてもよい。
【００２５】
また、左羽根部材３３および右羽根部材３６はそれぞれ、ベース部材３２に対し互いに左右対称となるように取り付けられ、左羽根部材３３および右羽根部材３６の回転に応じて入賞口３１を開閉可能に構成される。そして、図３（ｃ）に示すように、左羽根部材３３および右羽根部材３６が入賞口３１を閉鎖する閉鎖位置に回転変位したときに、左ガイド面３４の上端と右ガイド面３７の上端とが近接して山形状のガイド部３９が形成されるようになっている。
【００２６】
この山形状のガイド部３９は、ガイド部３９（左羽根部材３３および右羽根部材３６）の上方に達した遊技球を、遊技領域ＰＡにおける開閉型入賞装置３０の右方もしくは左方のいずれかに導いて落下させることができるように構成されており、これにより、遊技球を左右に振り分けて落下させる機能を開閉型入賞装置３０に持たせることができ、この機能を上手く用いることで、パチンコ機ＰＭの遊技性を向上させることが可能になる。さらに、左羽根部材３３および右羽根部材３６が入賞口３１を閉鎖するときに、左ガイド面３４の上端と右ガイド面３７の上端とが近接して山形状のガイド部３９が形成されるように構成されることで、左右の羽根部材３３，３６を回転させるだけでガイド部３９を形成することが可能となり、遊技球を左右に振り分けて落下させる機能を有する開閉型入賞装置３０を小さくすることができる。
【００２７】
さらに、左羽根部材３３および右羽根部材３６は、図３（ｃ）に示すような閉鎖位置と、図３（ａ）に示すような通常開放位置と、図３（ｂ）に示すような拡大開放位置とに回転変位可能に構成されている。これにより、遊技球が入賞口３１に入球する際の難易度を変化させることができるため、パチンコ機ＰＭの遊技性をさらに向上させることが可能になる。
【００２８】
なお、左羽根部材３３および右羽根部材３６が通常開放位置に回転変位したときには、図３（ａ）に示すように、入賞口３１が開放状態になるとともに、左ガイド面３４と右ガイド面３７とが互いに対向して、左ガイド面３４および右ガイド面３７がベース部材３２より上方、すなわち入賞口３１に近い方から上方へ互いに略平行に延びるようになっている。また、左羽根部材３３および右羽根部材３６が拡大開放位置に回転変位したときには、図３（ｂ）に示すように、入賞口３１が開放状態になるとともに、左ガイド面３４と右ガイド面３７とが互いに対向して、左ガイド面３４および右ガイド面３７がベース部材３２より上方、すなわち入賞口３１に近い方から上方へ向かうにつれて互いに離れるように傾斜して延びるようになっている。
【００２９】
これにより、左羽根部材３３および右羽根部材３６が拡大開放位置に回転変位した場合、左ガイド面３４の上端と右ガイド面３７の上端との間隔が通常開放位置に位置する場合よりも広くなるため、遊技球が入賞口３１に入球する際の難易度は通常開放位置に位置する場合よりも低くなる（遊技球が入球し易くなる）。なお、左羽根部材３３および右羽根部材３６が通常開放位置に回転変位したときには、遊技球が入賞口３１（遊技球）より若干幅の大きい左ガイド面３４と右ガイド面３７との間隙部を落下して入賞口３１に入球するのに対し、拡大開放位置に回転変位したときには、遊技球が左ガイド面３４もしくは右ガイド面３７に導かれるようにして入賞口３１に入球する。
【００３０】
このように構成されるパチンコ機ＰＭの開閉型入賞装置３０を用いて遊技を行う場合について、図４を参照しながら以下に説明する。ここで、図４は遊技盤１０（遊技領域ＰＡ）における開閉型入賞装置３０の配置と遊技例を示す正面図である。なお、図４において、説明を容易にするため、上段４個の開閉型入賞装置３０をそれぞれ、左側から３０Ａ１、３０Ａ２、３０Ａ３、３０Ａ４と呼び、中段３個の開閉型入賞装置３０をそれぞれ、左側から３０Ｂ１、３０Ｂ２、３０Ｂ３と呼び、下段２個の開閉型入賞装置３０をそれぞれ、左側から３０Ｃ１、３０Ｃ２と呼ぶものとする。
【００３１】
また、開閉型入賞装置３０は、左右の羽根部材３３，３６が拡大開放位置に位置するときに遊技球が入賞口３１に入球すると通常開放位置に回転変位し、左右の羽根部材３３，３６が通常開放位置に位置するときに遊技球が入賞口３１に入球すると閉鎖位置に回転変位するように制御されるものとする。さらに、開閉型入賞装置３０は、左右の羽根部材３３，３６が閉鎖位置に位置するときに遊技球がガイド部３９の頂上部の真上に達すると（遊技球が近接センサ等で検出されて）拡大開放位置に回転変位するように制御されるものとする。
【００３２】
遊技者は、例えば、羽根部材３３，３６が拡大開放位置もしくは通常開放位置に位置する各入賞装置３０に遊技球を順次入球させて、上段最も左側の開閉型入賞装置３０Ａ１と、中段左側の開閉型入賞装置３０Ｂ１と、下段左側の開閉型入賞装置３０Ｃ１の羽根部材３３，３６をそれぞれ閉鎖位置に回転変位させることにより、遊技球を始動入賞装置２０に入球させることが可能なルートを形成することができる。
【００３３】
これにより、上段の開閉型入賞装置３０Ａ１の上方やや右側から落下してきた遊技球Ｂ１は、開閉型入賞装置３０Ａ１における右羽根部材３６の右ガイド面３７に沿って開閉型入賞装置３０Ａ１の右下方に落下し、中段の開閉型入賞装置３０Ｂ１の上方に達する。そして、中段の開閉型入賞装置３０Ｂ１の上方に達した遊技球Ｂ１は、同様に開閉型入賞装置３０Ｂ１の右ガイド面３７に沿って開閉型入賞装置３０Ｂ１の右下方に落下して、下段の開閉型入賞装置３０Ｃ１の上方に達し、さらに、下段の開閉型入賞装置３０Ｃ１の上方に達した遊技球Ｂ１は、開閉型入賞装置３０Ｃ１の右ガイド面３７に沿って開閉型入賞装置３０Ｃ１の右下方に落下して、始動入賞装置２０の上方に達することになる。
【００３４】
一方、上段右側の開閉型入賞装置３０Ａ３の羽根部材３３，３６が例えば通常開放位置に位置する場合、開閉型入賞装置３０Ａ３の上方右側から落下してきた遊技球Ｂ２は、開閉型入賞装置３０Ａ３の右羽根部材３６に当接して弾かれる可能性が高く、この遊技球Ｂ２は、次に中段右側の開閉型入賞装置３０Ｂ３に向かって落下する。このとき、開閉型入賞装置３０Ｂ３の羽根部材３３，３６が例えば通常開放位置に位置する場合、遊技球Ｂ２は、開閉型入賞装置３０Ｂ３のいずれかの羽根部材３３，３６に当接して弾かれる可能性が高く、始動入賞装置２０への入球はもちろん、（いずれかの）開閉型入賞装置３０への入球の確率も低くなることになる。
【００３５】
なお、遊技球Ｂ２が開閉型入賞装置３０Ｂ３の左方へ弾かれた場合、開閉型入賞装置３０Ｂ３の左方へ弾かれた遊技球Ｂ２′は、開閉型入賞装置３０Ｂ３の左下方に位置する下段右側の開閉型入賞装置３０Ｃ２の上方に落下する。このとき、開閉型入賞装置３０Ｃ２の羽根部材３３，３６が閉鎖位置に回転変位していれば、遊技球Ｂ２′が開閉型入賞装置３０Ｃ２の左ガイド面３４に沿って開閉型入賞装置３０Ｃ２の左下方に落下して、始動入賞装置２０の上方に達する可能性はある。
【００３６】
このように、遊技者は、各入賞装置３０の羽根部材３３，３６をそれぞれ回転変位させることを狙って遊技球を発射することにより、遊技球を始動入賞装置２０に入球させることが可能なルートを形成することが可能になる。この結果、本発明に係る開閉型入賞装置３０を上述のように用いることで、新しい遊技性を得ることができ、遊技盤１０の全体を使って遊技を楽しむことができるので、パチンコ機ＰＭの遊技性を向上させることが可能になる。なお、開閉型入賞装置３０および始動入賞装置２０に遊技球が入球すると、所定数の遊技球が賞球として球皿６に払い出される。また、詳細な説明を省略するが、一般入賞装置１８および大入賞装置２５に遊技球が入球した場合にも、同様に所定数の遊技球が賞球として球皿６に払い出される。
【００３７】
以上に説明した本発明の実施形態において、達成される主要な効果を整理すれば、下記のようになる。
【００３８】
第１に、左羽根部材３３および右羽根部材３６が入賞口３１を閉鎖するとき、左羽根部材３３および右羽根部材３６の上方に達した遊技球がガイド部３９によって開閉型入賞装置３０の右方もしくは左方のいずれかに導かれて落下するため、遊技球を左右に振り分けて落下させる機能を開閉型入賞装置３０に持たせることができ、この機能を上手く用いることで、パチンコ機ＰＭの遊技性を向上させることが可能になる。
【００３９】
第２に、開閉手段（部材）が回転自在な左右一対の羽根部材３３，３６からなり、この左右一対の羽根部材３３，３６が入賞口３１を閉鎖するときに左ガイド面３４の上端と右ガイド面３７の上端とが近接して山形状のガイド部３９が形成されるように構成されることで、羽根部材３３，３６を回転させるだけでガイド部３９を形成することが可能となり、遊技球を左右に振り分けて落下させる機能を有する開閉型入賞装置３０を小さくすることができる。
【００４０】
第３に、左右一対の羽根部材３３，３６がそれぞれ、閉鎖位置と、通常開放位置と、拡大開放位置とに回転変位可能に構成されることで、遊技球が入賞口３１に入球する際の難易度を変化させることができるため、パチンコ機ＰＭの遊技性をさらに向上させることが可能になる。
【００４１】
なお、上述の実施形態において、本発明に係る（開閉型）入賞装置３０は、遊技球が入球可能な入賞口３１を有するベース部材３２と、ベース部材３２の左右に回転自在に取り付けられた左右一対の羽根部材３３，３６とを備えて構成されているが、これに限られるものではない。例えば、図５に示すように、大入賞装置１２５に構成される開閉扉１２６の前面側に、開閉扉１２６が大入賞口１２７を閉鎖するとき開閉扉１２６の上方に達した遊技球を（遊技領域における）大入賞装置１２５の右方もしくは左方のいずれかに導いて落下させるガイド部１３９を形成するようにしてもよい。このようにしても、上述の実施形態と同様の効果を得ることができる。なお、ガイド部１３９は、図５（ａ）に示すように、（開閉扉１２６が大入賞口１２７を閉鎖するとき）正面視山形状に形成される。また、図５（ｂ）に示すように、開閉扉１２６が大入賞口１２７を有するベース部１２８に対し前方に揺動することで大入賞口１２７が開放される。
【００４２】
また、上述の実施形態において、本発明に係る開閉型入賞装置３０がパチンコ機ＰＭに設けられているが、これに限られるものではなく、例えば、アレンジボール機や雀球遊技機等の弾球遊技機に設けられてもよい。
【００４３】
さらに、上述の実施形態において、本発明に係る開閉型入賞装置３０が逆台形状の形態をなすように遊技領域ＰＡに複数配列されているが、これに限られるものではなく、例えば、正三角形状の形態をなすように複数配列されてもよく、１つだけ遊技領域ＰＡに取り付けられるようにしてもよい。
【００４４】
また、上述の実施形態において、本発明に係る開閉型入賞装置３０は、左右の羽根部材３３，３６が拡大開放位置に位置するときに遊技球が入賞口３１に入球すると通常開放位置に回転変位し、左右の羽根部材３３，３６が通常開放位置に位置するときに遊技球が入賞口３１に入球すると閉鎖位置に回転変位するように構成されているが、これに限られるものではない。例えば、いずれかの開閉型入賞装置３０に遊技球が入球するのに応じて、各入賞装置３０の羽根部材３３，３６が同時に通常開放位置、拡大開放位置、もしくは閉鎖位置のいずれかに回転変位するように構成されてもよく、また、所定時間の経過毎に各入賞装置３０の羽根部材３３，３６が通常開放位置、拡大開放位置、もしくは閉鎖位置のいずれかにそれぞれ回転変位するように構成されてもよい。
【図面の簡単な説明】
【００４５】
【図１】本発明に係る入賞装置を備えたパチンコ機の正面図である。
【図２】上記パチンコ機に構成される遊技盤の正面図である。
【図３】本発明に係る開閉型入賞装置の正面図である。
【図４】遊技盤（遊技領域）における開閉型入賞装置の配置と遊技例を示す正面図である。
【図５】入賞装置の変形例を示す正面図である。
【符号の説明】
【００４６】
ＰＭ  パチンコ機（弾球遊技機）
ＰＡ  遊技領域
１０  遊技盤
３０  開閉型入賞装置（入賞装置）
３１  入賞口
３２  ベース部材
３３  左羽根部材（開閉部材）
３４  左ガイド面
３６  右羽根部材（開閉部材）
３７  右ガイド面
３９  ガイド部
１２５  大入賞装置（変形例）
１２６  開閉扉（変形例）
１２７  大入賞口（変形例）
１２８  ベース部（変形例）
１３９  ガイド部（変形例）
【図１】
2006263156.tif 000003
【図２】
2006263156.tif 000004
【図３】
2006263156.tif 000005
【図４】
2006263156.tif 000006
【図５】
2006263156.tif 000007